(57)【要約】【課題】吊り天井部材の落下を防止する天井構造を提供する。【解決手段】天井１０は、天井スラブ１２から吊下げ部材１４で吊り下げられた吊り天井部材１６と、吊り天井部材１６を貫通し、天井スラブ１２に固定された吊り部材２２、２４と、吊り部材２２、２４に支持され、吊り天井部材１６の下方に展開された落下防止部材３０、３２と、を有している。【選択図】図１
2014205948.tif 000002
【特許請求の範囲】
【請求項１】
天井スラブから吊下げ部材で吊り下げられた吊り天井部材と、
前記吊り天井部材を貫通し、前記天井スラブに固定された吊り部材と、
前記吊り部材に支持され、前記吊り天井部材の下方に展開された落下防止部材と、
を有する天井構造。
【請求項２】
前記吊り部材は、前記吊り天井部材に設けられた設備取付口の開口部、又は新たに開口された開口部を通して、前記天井スラブに固定される請求項１に記載の天井構造。
【請求項３】
前記落下防止部材は、網材、膜材、又はメッシュ金物である請求項１又は２に記載の天井構造。
【請求項４】
前記網材又は膜材の外周部は壁に連結されている請求項３に記載の天井構造。
【請求項５】
前記吊り部材は、前記落下防止部材と連結される連結部材を備えている請求項１〜４のいずれか１項に記載の天井構造。
【請求項６】
前記吊り部材は、前記天井スラブに固定される天井スラブ固定具を備え、斜めに配置され、前記天井スラブ固定具と前記吊り天井部材を結ぶ補強部材が設けられている請求項１〜５のいずれか１項に記載の天井構造。
【発明の詳細な説明】
【技術分野】
【０００１】
本発明は、天井構造に関する。
【背景技術】
【０００２】
建物の天井スラブから吊り部材で吊られた天井部材は、建物躯体が十分な耐震強度を備えていたとしても、地震等の「突発的衝撃荷重から連鎖する複数構成部材の複雑な暴れ動作、制動、反力」等によって吊り部材から脱落したり、機能障害を発生させる等の問題が想定されている。
このため、特に、災害応急対策の実施拠点となる庁舎、避難場所に指定されている体育館等の防災拠点施設、更には、固定防災拠点とされる客席を有する劇場、映画館、演芸場、観覧場、公会堂、集会場等においては、地震が発生しても、天井部材の床面までの落下を防止し、人に危害を加えない天井構造が求められている。
天井材の落下防止技術には、例えば特許文献１がある。
【０００３】
特許文献１は、既存の建築物に設けられた部屋の内側であり、四隅部へ、新たに垂直体（柱）を立設し、鉛直体の間には水平体（梁）を架け渡し、垂直体と水平体を端部で接続させる構成である。このとき、垂直体の下端部は、建物の地盤表面へ当接させ、垂直体の上端部は、既存の天井の下方に位置させている。
更に、鉛直体の天部において、四辺の水平体により形成された方形状の枠体内へ、所定の間隔を開けて、複数の横架体（小梁）を取付ける。また、枠体内の横架体の上には、網体を張設させる。これにより、既存の建築物の補強に加え、網体が天井材の落下を受け止める。
【先行技術文献】
【特許文献】
【０００４】
【特許文献１】特開２００３−１２００４５号公報
【発明の概要】
【発明が解決しようとする課題】
【０００５】
しかし、特許文献１は、耐震強度が低い建築物の耐震補強を主とした発明であり、部屋の内部に、新たに柱、梁及び小梁を構築する構成である。建物躯体は耐震強度を十分備えており、天井材の落下のみを防止する建築物に適用するには、過大な工事が要求され適切でない。
本発明は、上記事実に鑑み、吊り天井部材の落下を防止する天井構造を提供することを目的とする。
【課題を解決するための手段】
【０００６】
請求項１に記載の発明に係る天井構造は、天井スラブから吊下げ部材で吊り下げられた吊り天井部材と、前記吊り天井部材を貫通し、前記天井スラブに固定された吊り部材と、前記吊り部材に支持され、前記吊り天井部材の下方に展開された落下防止部材と、を有することを特徴としている。
【０００７】
請求項１に記載の発明によれば、地震時等に、吊り天井部材が吊下げ部材から脱落しても、吊り天井部材の下方に展開された落下防止部材で受け止められ、床面へ落ちることはない。また、吊り下げ部材が天井スラブから脱落しても、落下防止部材は吊下げ部材とは別に、天井スラブに固定された吊り部材で支持されているため、吊り天井部材を受け止めた、落下防止部材が床面へ落ちることはない。
【０００８】
請求項２に記載の発明は、請求項１に記載の天井構造において、前記吊り部材は、前記吊り天井部材に設けられた設備取付口の開口部、又は新たに開口された開口部を通して、前記天井スラブに固定されることを特徴としている。
請求項２に記載の発明によれば、照明やスピーカー等が取り付けられる設備取付口の開口部を通して、吊り部材が天井スラブに固定される。このため、吊り天井部材に別途、吊り部材用に開口を設けなくてもよい。なお、設備取付口の開口部の上部が、例えばダクト等で塞がれている場合や、適切な位置に設備取付口がない場合には、新たに開口部を設けて吊り部材を天井スラブに固定すればよい。
【０００９】
請求項３に記載の発明は、請求項１又は２に記載の天井構造において、前記落下防止部材は、網材、膜材、又はメッシュ金物であることを特徴としている。
請求項３に記載の発明によれば、映画館の天井のように傾斜した天井でも、吊り天井部材に沿って、網材、膜材、又はメッシュ金物を展開することができる。また、吊り天井部材に設けられた照明の光の妨げになりにくい。
【００１０】
請求項４に記載の発明は、請求項３に記載の天井構造において、前記網材又は膜材の外周部は、壁に連結されていることを特徴としている。
これにより、網材又は膜材が揺れにくくなる。また、網材又は膜材の支持点が増えるので支持強度が上がる。
【００１１】
請求項５に記載の発明は、請求項１〜４のいずれか１項に記載の天井構造において、前記吊り部材は、前記落下防止部材と連結される連結部材を備えていることを特徴としている。
これにより、落下防止部材の構成に対応させた連結部材を吊り部材に取付けることができ、落下防止部材の吊り部材への連結を容易にすることができる。
【００１２】
請求項６に記載の発明は、請求項１〜５のいずれか１項に記載の天井構造において、前記吊り部材は、前記天井スラブに固定される天井スラブ固定具を備え、斜めに配置され、前記天井スラブ固定具と前記吊り天井部材を結ぶ補強部材が設けられていることを特徴としている。
補強部材で天井部材を斜めに吊ることで、地震時等における天井部材の揺れや変形が抑えられ、天井部材の落下や損傷を抑制することができる。
【発明の効果】
【００１３】
本発明は、上記構成としてあるので、吊り天井部材の落下を防止する天井構造を提供することができる。
【図面の簡単な説明】
【００１４】
【図１】は本発明の第１実施形態に係る天井構造の基本構成を示す鉛直断面図である。
【図２】（Ａ）は本発明の第１実施形態に係る天井構造における落下防止部材の接合部の部分拡大図であり、（Ｂ）はその斜視図である。
【図３】は本発明の第２実施形態に係る天井構造の基本構成を示す鉛直断面図である。
【図４】（Ａ）は本発明の第３実施形態に係る天井構造の基本構成を示す連結部材の鉛直断面図であり、（Ｂ）はその斜視図である。
【図５】（Ａ）は本発明の第３実施形態に係る天井構造の基本構成を示す連結部材の鉛直断面図であり、（Ｂ）はその下方から見上げた平面図である。
【図６】（Ａ）〜（Ｄ）は本発明の第３実施形態に係る天井構造における落下防止部材の施工手順を示す斜視図である。
【図７】（Ｅ）〜（Ｇ）は本発明の第３実施形態に係る天井構造における落下防止部材の施工手順を示す斜視図である。
【図８】本発明の第４実施形態に係る天井構造の基本構成を示す連結部材の斜視図である。
【図９】（Ａ）は本発明の第４実施形態に係る天井構造の基本構成を示す連結部材の鉛直断面図であり、（Ｂ）はその下方から見上げた平面図である。
【図１０】（Ａ）〜（Ｃ）は本発明の第４実施形態に係る天井構造における落下防止部材の施工手順を示す斜視図である。
【図１１】（Ｄ）〜（Ｆ）は本発明の第４実施形態に係る天井構造における落下防止部材の施工手順を示す斜視図である。
【発明を実施するための形態】
【００１５】
（第１実施形態）
図１、図２を用いて第１実施形態に係る天井構造について説明する。
天井１０は、天井スラブ１２から吊りボルト１４と、吊りボルト１４の下端部に接合された連結金具１５で吊り下げられた、既存の吊り天井部材１６を有している。
また、吊り天井部材１６は、天井ボード２０（天井パネルを含む）と、天井ボード２０を支持する天井下地１８とを有している。天井下地１８は、軽量鉄骨や木材等で平面視が格子状に構成され、天井スラブ１２に固定された吊りボルト１４に、連結金具１５を介して接合されている。天井ボード２０は、石膏ボードや木材等で形成され、室内空間５６の天井面を構成している。図１では、天井ボード２０は、上下方向に、所定の隙間を開けて２枚重ねた二重構造の例が示されている。ここに、天井スラブ１２と吊り天井部材１６の間の空間が天井裏空間５４であり、吊り天井部材１６の下の空間が室内空間５６である。
【００１６】
天井ボード２０の下方の室内空間５６には、落下防止部材として、網材で編まれたネット３２が敷かれ（展開され）ている。ネット３２は、地震等で天井ボード２０が吊りボルト１４から外れて落下したとき、吊り天井部材１６の破片が床面まで落下して、人体に損傷を与えないよう、天井ボード２０の下方で受け止めて、保持する。この目的を達成させるため、ネット３２の網材の種類や強度、網目のメッシュサイズｄ１、ｄ２が決定されている（図２（Ｂ）参照）。
ネット３２の吊下げは、後述の施工方法で説明するように、吊り天井部材１６の開口部（ダウンライト取付口）３４の上方の天井スラブ１２に固定されたアンカーボルト（アイボルト）２２で吊下げされている。即ち、アンカーボルト２２から吊りワイヤー２４が吊り下げられ、吊りワイヤー２４の下端部には、連結部材である連結パイプ２６が支持されている。また、連結パイプ２６の下端部には十字金具２８が取付けられ、十字金具２８には、ネット用ワイヤー３０が取付けられている。ネット用ワイヤー３０が、ネット３２の周囲を支持している。
【００１７】
即ち、図２（Ａ）、図２（Ｂ）に示すように、アンカーボルト２２からは吊りワイヤー２４が吊り下げられ、吊りワイヤー２４の下端には円筒状の連結パイプ２６が接続されている。連結パイプ２６の上端部にはアイボルト２７がねじ込まれ、アイボルト２７で吊りワイヤー２４の下端部と接続されている。連結パイプ２６の下端部には、十字金具２８が接合されている。
十字金具２８は、天井ボード２０の下方に接合され、連結パイプ２６から十字状に四方へ突出する平板部を有している。平板部にはそれぞれ貫通孔が設けられ、それぞれの貫通孔には、ネット用ワイヤー３０が接続されている。ネット用ワイヤー３０は、平面視で格子状に配置され、ネット用ワイヤー３０の交差部に十字金具２８が配置されている。
【００１８】
また、ネット用ワイヤー３０は、平面視において格子状に渡されており、ネット用ワイヤー３０で形成された格子の間には、網材で編まれたネット３２が敷かれている。ネット３２の周囲は、適宜クリップ等でネット用ワイヤー３０に固定されている。ネット３２は、天井ボード２０に沿って、天井ボード２０の下側に、天井ボード２０との隙間を極力小さくして（極力天井ボード２０に近づけて）、たるみがないように設置されている。また、ネット用ワイヤー３０の端部は壁貫通ボルト５８と接合され、室内空間側５６の壁３８に連結されている。これにより、ネット３２の周囲が壁貫通ボルト５８で固定され、ネット３２が揺れにくくなる。同時に、ネット３２の支持点が増えるので、ネット３２の支持強度が上がる。
【００１９】
本構成とすることにより、地震時に、天井ボード２０が吊りボルト１４から脱落しても、天井ボード２０の下方に展開されたネット３２で、天井ボード２０が受け止められ、床面への落下が防止される。また、吊りボルト１４が天井スラブから脱落しても、ネット３２は吊りボルト１４とは別に、天井スラブ１２に固定されたアンカーボルト２２で支持されており、ネット３２が天井ボード２０の落下を受け止めて、床面への落下を防止することができる。
また、アンカーボルト２２は、天井ボード２０に設けられたダウンライト取付口３４を通して、天井スラブ１２に固定される。即ち、ダウンライト取付口３４を通して、アンカーボルト２２が天井スラブ１２に固定される。このため、天井ボード２０に、別途アンカーボルト２２施工用の開口部を設けなくてもよい。また、ダウンライト取付口３４には、端部を囲む枠材３５が設けられ、ダウンライト取付口３４の下端部には、開口部を覆う蓋材３９が設けられている。これにより、ダウンライト取付口３４を保護及び補強し、意匠性を高めることができる。
更に、連結パイプ２６の下端部に、取り外した既存照明のダウンライト３６を取り付けることができる。これにより、ほぼ、従来と同じ位置にダウンライト３６を取り付けることができ、ネット３２の影響を受けず、室内の照明環境を維持することができる。このとき、照明用配線３７は、連結パイプ２６の内部空間を利用して、ダウンライト３６に引き込めばよい。
【００２０】
展開例として、図示は省略するが、例えば映画館の天井のように傾斜した天井でも、天井ボード２０に沿って、ネット３２を展開することができる。この場合も同様に、連結パイプ２６の下端部にダウンライト３６が設けられており、ネット３２が光の妨げになりにくい。また、アンカーボルト２２とネット３２の接続は、連結パイプ２６、及び十字金具２８を介して行われる。これにより、ネット３２の構成に対応させた連結パイプ２６を、アンカーボルト２２に吊るされた吊りワイヤー２４の下部に取付けることで、ネット３２のアンカーボルト２２への連結を容易にすることができる。
【００２１】
以上説明したように、本実施形態によれば、従来は、天井の一部を解体してアンカーボルト２２を打設し、アンカーボルト２２で吊りワイヤー２４を吊下げていたが、吊り天井部材１６を解体せずにこれらの施工を行うことができる。また、従来は、吊りワイヤー２４を通過させる開口部を、天井ボード２０に、新たに開口する必要があったが、ダウンライト３６の開口部を利用することで、新たな開口部を設ける必要がなくなる。このとき、ダウンライト３６と吊りワイヤー２４を一体とすることも可能である。
更に、本実施形態では、従来の吊りボルト１４に加え、アンカーボルト２２を、新たに天井スラブ１２に打設し、アンカーボルト２２にネット３２を支持させている。これにより、より確実に、天井ボード２０の落下防止が図れる。なお、アンカーボルト２２は、アイボルトを例に説明したが、これに限定されることはなく、他の構造のアンカーボルト２２でも良い。
【００２２】
次に、天井１０の施工方法について説明する。
先ず、天井スラブ１２から吊りボルト１４で吊下げられた、既存の吊り天井部材１６の天井ボード２０から、ダウンライト３６を取り外す工程を実行する。天井ボード２０に設けられた、ダウンライト取付口３４の開口を活用するためである。
次に、ダウンライト３６が取り外された、天井ボード２０のダウンライト取付口３４を通して、下方から上方の天井スラブ１２に、アンカーボルト２２用の取付け穴を開け、アンカーボルト２２を天井スラブ１２固定する工程を実行する。新たに、天井スラブ１２にアンカーボルト２２を固定することで、天井ボード２０の確実な落下防止を図ることができる。
次に、アンカーボルト２２に吊りワイヤー２４を取付け、ワイヤー２４の下端に連結パイプ２６を取付ける工程を実行する。連結パイプ２６の下端部には十字金具２８が接合されており、十字金具２８は、天井ボード２０の下面よりも室内空間側５６へ突出させる。
最後に、ネット用ワイヤー３０を十字金具２８に取付け、ネット３２の周囲をネット用ワイヤー３０に取付ける工程を実行する。これにより、天井ボード２０の下方へネット３２を展開することができる。このとき、十字金具２８が天井ボード２０から室内空間側５６に突出しているため、ネット用ワイヤー３０及びネット３２の接合が容易にできる。
【００２３】
これらの工程により、ネット３２を、天井スラブ１２に固定されたアンカーボルト２２を用いて天井ボード２０の下方へ設けることができる。この結果、天井ボード２０が吊りボルト１４から脱落しても、ネット３２が天井ボード２０を受け止めて、天井ボード２０を保持する。即ち、天井ボード２０の床面への落下を、ネット３２で防止することができる。ここに、アンカーボルト２２は、ダウンライト３６が取り外された天井ボード２０のダウンライト取付口３４の、上方の天井スラブ１２に接合されており、天井ボード２０を解体することなく施工することができる。
【００２４】
なお、以上の説明は、既存の吊り天井部材１６で説明した。しかしこれに限定されることはなく、新築の吊り天井部材でもよい。また、天井ボード２０は、上下方向に二重に重ねられた二重構造で説明したが、一重構造でも、三重以上の構造でもよい。また、ネット３２は、網材の場合について説明したが、これに限定されることはなく、例えば、網材と同じように膜材を天井ボード２０の下に展開した構成でもよい。
また、天井ボード２０の開口部は、ダウンライト取付口３４を取り外した後の開口で説明した。しかし、これに限定されることはなく、図示は省略するが、他の照明機器やスピーカー等の取付け口でもよい。更に、設備取付口の開口部の上部が、例えばダクト等で塞がれている場合や、適切な位置に設備取付口の開口部がない場合等には、新たに開口部を設け、新たな開口部を利用してアンカーボルト２２を天井スラブに固定し、アンカーボルト２２でネット３２を吊るしてもよい。開口部とは、照明・空調・排気・散水・センサ等の取付口や、既成点検口の他、天井裏の設備配管類との干渉を避けた新たな開口部を総じていう。
【００２５】
（第２実施形態）
図３を用いて、本発明の第２実施形態に係る天井構造について説明する。
本実施形態に係る天井９０は、補強部材７８を用いて吊り天井部材１６を補強する点において、第１実施形態と相違する。相違点を中心に説明する。
図３に示すように、天井スラブ１２に固定されたアンカーボルト２２には、吊りワイヤー２４に加え、補強ワイヤー７８の一端が取り付けられ、補強ワイヤー７８の他端は、天井下地材１８に取付けられている。
補強ワイヤー７８は複数用いられ、互いに対向する方向に、鉛直方向に対して斜めに取付けられる。このとき、補強ワイヤー７８と天井下地材１８との取付けは、例えば、天井下地材１８の交差部を利用して、天井下地材１８に巻き付けて、止めベルト７９で止めてもよい。また、天井下地材１８を吊るす連結部材１５に巻き付けて、止めベルト７９で止めてもよい。これにより、より確実に、補強ワイヤー７８を取付けることができる。
【００２６】
吊りワイヤー２４は、吊り天井部材１６を、鉛直方向に吊下げて支持する。これに対し、補強ワイヤー７８は、吊り天井部材１６を、斜めに吊下げて支持する。天井下地１８を複数の補強ワイヤー７８で、対向する方向から斜めに吊下げることで、吊り天井部材１６の水平方向の支持強度が補強される。
これにより、地震時等における天井ボード２０の揺れや変形が抑えられ、揺れや変形に起因する天井ボード２０の落下や損傷を抑制することができる。
他は、第１実施形態と同じであり、説明は省略する。
【００２７】
（第３実施形態）
図４〜図７を用いて、本発明の第２実施形態に係る天井構造について説明する。
本実施形態に係る天井８０は、網材製のネット３２を鋼材製のメッシュ金物６０とした点において、第１実施形態と相違する。相違点を中心に説明する。
図４（Ａ）の鉛直断面図、図４（Ｂ）の斜視図、図５（Ａ）の鉛直断面図、図５（Ｂ）の下から見上げた平面図に示すように、天井ボード２０のダウンライト３６を取り外した開口部８２には、開口部８２を塞いでメインフレーム７２が取付けられている。メインフレーム７２は、断面視が下方に向けて開放された略コ字状に、鋼板又は樹脂で形成され、ダウンライト３６が収容される幅を有し、複数の開口部８２が連続する配列方向を長手方向とし、複数の開口部８２を連続して塞ぐ長さに形成されている。
【００２８】
メインフレーム７２の上面は、開口部８２を除く天井ボード２０の下面と当接され、開口部８２の上方から吊り下げられ、上端部が天井スラブに固定された全ネジボルト８４に固定されている。
メインフレーム７２の長手方向の両側面には、全幅に渡り、凹状に内部へ折り曲げられた凹部８６が形成されている。凹部８６には、所定の間隔で落下防止フレーム５０が挿入されている。落下防止フレーム５０は鋼製角材で形成され、メインフレーム７２と直交する方向に配置されている。落下防止フレーム５０の端部は、メインフレーム７２とＬ形金具７４を介してビスで固定されている。
落下防止フレーム５０の上面には、メッシュ金物６０のメッシュ間隔に一致させた複数の溝部６４が形成されている。これにより、溝部６４に、上方からメッシュ金物６０の鋼材部を落とし込むことができる。メッシュ金物６０は、天井ボード２０を受け止めて保持するため、保持強度を受け止めて、確保できる径の鋼線で格子状に形成されている。また、天井ボード２０の下方に、天井ボードと接する位置に、天井ボード２０に沿って取り付けられている。
【００２９】
メインフレーム７２の下端部（開放端）には、平板状の開き止めプレート７０が取付けられている。開き止めプレート７０は、鋼鈑又は樹脂で平板状に形成され、メインフレーム４８の全長に渡り下端部を閉じている。これにより、下端部の開口部が閉じられ、メインフレーム４８の強度を増すことができる。また、開き止めプレート７０には、所定間隔でダウンライト３６が挿入される貫通孔が形成され、取り外したダウンライト３６が貫通孔に取付けられる。このとき、例えば煙センサ等の他の設備機器があれば、開き止めプレート７０に盛り替える。更に、開き止めプレート７０の下面は塗装され、化粧板を兼ねて意匠性を向上させている。
【００３０】
次に、図６、図７を用いて天井の施工手順を説明する。
先ず、図６（Ａ）、図６（Ｂ）に示すように、既存のダウンライト３６を、天井ボード２０から、一旦、全て取り外す。ダウンライト３６は、天井ボード２０に取付けられており、容易に取り外すことができる。
次に、図６（Ｃ）に示すように、ダウンライト３６を取り外したダウンライト取付口８２を利用して、下からドリル７６で天井スラブ１２に、図示しないアンカー孔を開ける。その後、アンカー孔に全ネジボルト８４の一端を固定し、一端を天井ボード２０の下面から突出させる。
【００３１】
続いて、図７（Ｅ）に示すように、全ネジボルト８４を利用して、メインフレーム７２の上面を天井ボードの下面に当接させて固定する。続いて、メインフレーム７２の側面に形成された凹部８６へ、落下防止フレーム５０を取付ける。落下防止フレーム５０は、鋼製角材で形成され、メインフレーム７２の側壁の凹部８６に所定の間隔で挿入される。
即ち、落下防止フレーム５０は、所定間隔で設けられたメインフレーム７２とメインフレーム７２の間に、メインフレーム７２と直交する方向へ渡される。次に、落下防止フレーム５０と落下防止フレームの間に、メッシュ金物５２を上から落とし込む。
【００３２】
最後に、図７（Ｆ）に示すように、メインフレーム７２の下端部に、ダウンライト３６の取付け用の貫通孔が設けられた、開き止めプレート７０を取付ける。これにより、メインフレーム７２の筐体強度を増すことができる。続いて、開き止めプレート７０の貫通孔に、取り外したダウンライト３６を取付ける。このとき、ダウンライト３６のみでなく、例えば、煙センサ等の設備機器も、開き止めプレート７０取付ける。これにより、天井８０の施工が完了する。図７（Ｇ）に完成状態を示す。ダウンライト３６とメッシュ金物５２を調和させることができる。
【００３３】
以上説明した、本実施形態の天井８０は、メッシュ金物５２が天井ボード２０の落下を受け止め、保持する。メッシュ金物５２は、平板状に形成され端部が落下防止フレーム５０に保持され、落下防止フレーム５０は、全ネジボルト８４で天井スラブ１２に固定されたメインフレーム７２の凹部８６に固定されている。これにより、天井ボード２０の床面までの落下を防止することができる。他の構成は、第１実施形態と同じであり説明は省略する。
【００３４】
（第４実施形態）
図８〜図１１を用いて、本発明の第４実施形態に係る天井構造について説明する。
本実施形態に係る天井４０は、既存照明をダウンライト３６でなくライン照明４２とし、網材製のネット３２を鋼材製のメッシュ金物６０とした点において、第１実施形態と相違する。相違点を中心に説明する。
図８の斜視図、図９（Ａ）の鉛直断面図、図９（Ｂ）の下から見上げた平面図に示すように、天井ボード２０のライン照明４２を取り外した開口部６２を塞いで、メインフレーム４８が取付けられている。メインフレーム４８は、断面視が下方へ開口する略コ字状とされ、ライン照明４２を収納する幅を有し、ライン照明４２を取り外した開口部６２を長手方向へ連続して塞ぐ長さに形成されている。
【００３５】
メインフレーム４８の上面は、開口部６２を除く天井ボード２０の下面と当接され、開口部６２の上方に、天井スラブ１２から吊り下げられた吊りボルト（ライン照明４２を取付けていた吊りボルト）４４の下端部に、袋ナット４６を取り付け、袋ナット４６で連結された延長ボルト４５で固定されている。
メインフレーム４８の両側面には、凹状に折り曲げた凹部８８が形成され、凹部８８には、所定の間隔で、落下防止フレーム５０が挿入されている。落下防止フレーム５０は、メインフレーム４８の側面と直交する方向に配置され、落下防止フレーム５０の端部は、メインフレーム４８とＬ形金具７４を介してビスで固定されている。
落下防止フレーム５０の上面には、落下防止ネットとしてのメッシュ金物６０が設けられている。このとき、落下防止フレーム５０の上面に、メッシュ金物６０のメッシュ間隔に一致させた複数の溝部６４が形成され、溝部６４には、上方からメッシュ金物６０が落とし込まれている。メッシュ金物６０は、天井ボード２０を受け止めて保持する強度を確保できる径の鋼線で格子状に形成され、天井ボード２０の下方に、天井ボード２０に沿って、取り付けられている。
【００３６】
メインフレーム４８の内部の上面と凹部８８の間には、断面形状が略コ字状の下地金物６６が挿入されている。下地金物の平面部はメインフレーム４８の内部を、凹部８８の位置で区画するよう配置されている。下地金物６６の底面には、取り外したライン照明４２の上面が当接され、ビスで固定されている。メインフレーム４８の長手方向であり、ライン照明４２とライン照明４２の間には、平板状の化粧カバー６８が取付けられ、メインフレーム４８の筐体の強度を高めると同時に、意匠性を高めている。
【００３７】
次に、図１０、図１１を用いて天井の施工手順を説明する。
先ず、図１０（Ａ）、図１０（Ｂ）に示すように、既存のライン照明４２を、天井ボード２０から、一旦、全て取り外す。ライン照明４２は、２本の吊りボルト４４で天井スラブ１２から吊り下げられており、ナットを緩めることで容易に取り外すことができる。これにより、ライン照明４２を吊り下げていた、２本の吊りボルト４４を活用できる。
次に、図１０（Ｃ）に示すように、ライン照明４２を取り外した後に、吊りボルト４４の下端部に袋ナット４６を装着する。続いて、袋ナット４６を利用して、コの字型のメインフレーム４８を延長ボルト４５で取付ける。メインフレーム４８は、上面を天井ボード２０の下面と当接させて取り付けられる。メインフレーム４８の側面には、内側に折り曲げられた凹部８８が形成されている。
【００３８】
次に、図１１（Ｄ）に示すように、メインフレーム４８の凹部８８を利用して落下防止フレーム５０を取付ける。落下防止フレーム５０は、鋼製角材で形成され、メインフレーム４８の側壁に挿入可能とされ、所定間隔で設けられたメインフレーム４８とメインフレーム４８の間に、メインフレーム４８と直交する方向へ配置される。その後、落下防止フレーム５０と落下防止フレーム５０の間に、メッシュ金物５２を落とし込む。
次に、図１１（Ｅ）に示すように、メインフレーム４８に下地金物６６を取り付け、下地金物６６に取り外したライン照明４２を取付ける。ライン照明４２は、下地金物６６とビスで接合される。これにより、天井４０の施工が完了する。図１１（Ｆ）に完成状態を示す。ライン照明４２とメッシュ金物５２を調和させることができる。
【００３９】
以上説明した構成とすることにより、メッシュ金物５２が天井ボード２０の落下を受け止め、保持する。メッシュ金物５２は、平板状に形成され端部が落下防止フレーム５０に保持され、落下防止フレーム５０は、吊りボルト４４、袋ナット４６、延長ボルト４５で天井スラブ１２に固定されたメインフレーム７２の凹部８８に固定されている。これにより、天井ボード２０の、床面までの落下を防止することができる。他の構成は、第１実施形態と同じであり、説明は省略する。
【符号の説明】
【００４０】
１０、４０、８０、９０  天井
１２  天井スラブ
１４  吊りボルト（吊下げ部材）
１５  連結金具（吊下げ部材）
１６  吊り天井部材
１８  天井下地（吊り天井部材）
２０  天井ボード（吊り天井部材）  
２２  アンカーボルト（吊り部材、天井スラブ固定具）
２４  吊りワイヤー（吊り部材）
２６  連結パイプ（連結部材、吊り部材）
３０  ネット用ワイヤー（落下防止部材）
３２  ネット（網材、落下防止部材）
３４  ダウンライト取付口（設備取付口）
４８、７２  メインフレーム（連結部材）  
５２  メッシュ金物（落下防止部材）
７８  補強ワイヤー（補強部材）
【図１】
2014205948.tif 000003
【図２】
2014205948.tif 000004
【図３】
2014205948.tif 000005
【図４】
2014205948.tif 000006
【図５】
2014205948.tif 000007
【図６】
2014205948.tif 000008
【図７】
2014205948.tif 000009
【図８】
2014205948.tif 000010
【図９】
2014205948.tif 000011
【図１０】
2014205948.tif 000012
【図１１】
2014205948.tif 000013